(57)【要約】【課題】  在来のダンボール箱を利用して、必要な強度を保有し、しかも組み立てが容易で、軽量であり、コンパクトに折り畳むことできる簡易トイレを得る。【解決手段】      内蓋８とその上に重ね合わされる外蓋４とを備えて折り畳み可能なダンボール箱Ｂと、その内部に着脱可能に収容される補強枠Ｆと、前記内蓋８と外蓋４に開口した、内側貫通孔１３および外側貫通孔１２を通してダンボール箱Ｂ内に装着されて収容袋を形成する可撓性シートＳとよりなり、ダンボール箱Ｂでトイレ本体、外蓋４と内蓋８とで便座部、外側貫通孔１２と内側貫通孔１３とで便座孔を形成する。【選択図】        図７
2012232053.tif 000002
【特許請求の範囲】
【請求項１】
上面開口を開閉可能に閉じる内蓋（８）およびその上に重ね合わされる外蓋（４）とを備えて折り畳み可能なダンボール箱（Ｂ）と、そのダンボール箱（Ｂ）に着脱可能に収容される補強枠（Ｆ）と、前記外蓋（４）および内蓋（８）にそれぞれ開口した、外側貫通孔（１２）および内側貫通孔（１３）を通してダンボール箱（Ｂ）内に装着されて収容袋を形成する可撓性シート（Ｓ）とを備え、
前記外蓋（４）の外側貫通孔（１２）は、前記外蓋（４）にその外側貫通孔（１２）の輪郭に沿って入れたミシン目（ｌ1 ）を裂くことにより形成され、また、前記内蓋（８）の内側貫通孔（１３）は、前記内蓋（８）にその内側貫通孔（１３）の輪郭に沿って入れたミシン目（ｌ2 ，ｌ3 ）を裂くことにより形成され、前記内蓋（８）と外蓋（４）とを重ねて合わせて閉じることにより便座部が形成され、また前記外側貫通孔（１２）と内側貫通孔（１３）によりダンボール箱（Ｂ）内の前記収容袋に通じる便座孔が形成されることを特徴とする、簡易トイレ。
【請求項２】
前記外蓋（４）には、その外側貫通孔（１２）の輪郭の一部に沿ってミシン目（ｌ1 ）が入れらると共にそのミシン目（ｌ1 ）の端部間をヒンジ線（ｌｈ）とし、前記ミシン目（ｌ1 ）を裂くすことにより、前記外蓋（４）に前記ヒンジ線（ｌｈ）に沿って外側貫通孔（１２）を開閉し得る開閉蓋（１０）が形成されることを特徴とする、前記請求項１記載の簡易トイレ。
【請求項３】
前記開閉蓋（１０）の自由端には、撮み片（１１）が形成されること特徴とする、前記請求項２記載の簡易トイレ。
【請求項４】
前記外側貫通孔（１２）は、前記内側貫通孔（１３）よりも大きく形成され、内側貫通孔（１３）の周縁部に、前記開閉蓋（１０）を前記外蓋（４）と同一面の閉じ位置に止めるストッパ部（８ｓ）が形成されることを特徴とする、前記請求項１、２または３記載の簡易トイレ。
【請求項５】
前記補強枠（Ｆ）は、ダンボール板（２０，２１）を井桁状に組んで形成されることを特徴とする、前記請求項１、２、３または４記載の簡易トイレ。
【発明の詳細な説明】
【技術分野】
【０００１】
本発明は、書籍などを収容する通常のダンボール箱を利用して、簡単容易にしかも迅速に組み立てることができ、折り畳み可能な簡易トイレに関する。
【背景技術】
【０００２】
従来、排泄物を収納するために汎用の収納袋を装着することができ、素早く組み立てることができ、収納袋を取り付けたまま折り畳むことができ、排便するために座ることができる便座を備えた携帯用簡易トイレが既に知られている（下記特許文献１参照）。
【先行技術文献】
【特許文献】
【０００３】
【特許文献１】特開２００７−２８９３２７号公報
【発明の概要】
【発明が解決しようとする課題】
【０００４】
ところで、前記携帯用簡易トイレは、汎用の収納袋を装着することができ、弁座部と、金属製の脚部と、その脚部を連結するリンク部材とより構成され、それらの部材は何れも簡易トイレ専用に作られており、在来の汎用部材を利用していないので、製作コストが嵩む上に、金属部材を用いているので、重量が重く、交通の不便な被災地などのように、緊急な搬送が要求されるときに、搬送コストが嵩む上に搬送時間が長くなってしまうという問題があり、さらに、使用時に、収納袋が露出状態にあるため、使用者は使用しずらいという問題もある。
【０００５】
本発明はかかる実情に鑑みてなされたものであり、ダンボール箱を利用して廉価に作ることができ、しかも組み立てが容易で、軽量であり、コンパクトに折り畳むことできて、前記問題解決できるようにした、新規な簡易トイレを提供することを目的とする。
【課題を解決するための手段】
【０００６】
上記目的を達成するために、請求項１の発明は、上面開口を開閉可能に閉じる内蓋およびその上に重ね合わされる外蓋とを備えて折り畳み可能なダンボール箱と、そのダンボール箱に着脱可能に収容される補強枠と、前記外蓋および内蓋にそれぞれ開口した、外側貫通孔および内側貫通孔を通してダンボール箱内に装着されて収容袋を形成する可撓性シートとを備え、
前記外蓋の外側貫通孔は、前記外蓋にその外側貫通孔の輪郭に沿って入れたミシン目を裂くことにより形成され、また、前記内蓋の内側貫通孔は、前記内蓋にその内側貫通孔の輪郭に沿って入れたミシン目を裂くことにより形成され、前記内蓋と外蓋とを重ねて合わせて閉じることにより便座部が形成され、また前記外側貫通孔と内側貫通孔によりダンボール箱内の前記収容袋に通じる便座孔が形成されることを特徴としている。
【０００７】
上記目的を達成するために、請求項２の発明は、前記請求項１記載のものにおいて、前記外蓋には、その外側貫通孔の輪郭の一部に沿ってミシン目が入れらると共にそのミシン目の端部間をヒンジ線とし、前記ミシン目を裂くすことにより、前記外蓋に前記ヒンジ線に沿って外側貫通孔を開閉し得る開閉蓋が形成されることを特徴としている。
【０００８】
上記目的を達成するために、請求項３の発明は、前記請求項２記載のものにおいて、前記開閉蓋の自由端には、撮み片が形成されること特徴としている。
【０００９】
上記目的を達成するために、請求項４の発明は、前記請求項１、２または３記載のものにおいて、前記外側貫通孔は、前記内側貫通孔よりも大きく形成され、内側貫通孔の周縁部に、前記開閉蓋を前記外蓋と同一面の閉じ位置に止めるストッパ部が形成されることを特徴としている。
【００１０】
上記目的を達成するために、請求項５の発明は、前記請求項１、２、３または４記載のものにおいて、前記補強枠は、ダンボール板を井桁状に組んで形成されることを特徴としている。
【発明の効果】
【００１１】
請求項各項の発明によれば、在来のダンボール箱を利用して、必要な強度を保有し、しかも組み立てが容易で、軽量であり、コンパクトに折り畳むことできる簡易トイレを提供することがでる。また排泄物を収容する収容袋は、ダンボール箱により覆われて外部から見えないので、外観がよく、使用者は躊躇することなくは、安心して使用することができる。また、トイレ本体をダンボール箱で形成したにも拘らず、補強枠により補強されるので、充分な強度を有し、体重の重い人が使用しても変形したり、潰れたりすることがない。
【００１２】
請求項２の発明によれば、便座孔を形成する外側貫通孔には、開閉蓋が開閉可能に設けられるので、非使用時には、便座孔を閉じておくことができて外観上の体裁がよく、また、悪臭の発散を抑えることができる。
【００１３】
請求項３の発明によれば、開閉蓋には、撮み片が設けられるので、その開閉操作が容易である。
【００１４】
請求項４の発明によれば、開閉蓋を前記外蓋と同一面の閉じ位置に止めることができ、開閉蓋がダンボール箱内に内没することがなく、外観上の良くし、また、開閉蓋を汚損することがない。
【００１５】
請求項５の発明によれば、補強枠は、ダンボール板を井桁状に組んで形成されるので、廉価に提供することをができ、また、ダンボール板に解体して、搬送、格納が容易である。
【図面の簡単な説明】
【００１６】
【図１】ダンボール箱の斜視図
【図２】外蓋および内蓋を開放したダンボールの斜視図
【図３】ダンボール箱に展開平面図
【図４】ダンボール箱の組み立て順序を示す斜視図
【図５】補強枠の斜視図
【図６】ダンボール箱に補強枠を組み込む過程を示す斜視図
【図７】簡易トイレの斜視図
【図８】図７の８−８線に沿う断面図
【図９】図８の９（Ａ）−（Ａ）、９（Ｂ）−（Ｂ）、９（Ｃ）−（Ｃ）線に沿う断面図
【図１０】ダンボール箱に可撓性シートを装着する手順を示す斜視図
【図１１】簡易トイレの使用後の処理を示す斜視図
【発明を実施するための形態】
【００１７】
本発明の実施の形態を、添付図面に例示した本発明の実施例に基づいて以下に具体的に説明する。
【００１８】
まず、書籍などを収納するダンボール箱Ｂの構造について説明する。
【００１９】
図１〜３において、ダンボール箱Ｂは、一枚のダンボール板Ｐにより構成されている。ダンボール板Ｐの中間部に形成される外側底板１の相対向する前、後辺には、折り線ｂを介して前側板２、後側板３がそれぞれ接続され、後側板３の後辺には折り線ｂを介して外蓋４が接続される。また、前側板２の左、右辺には折り線ｂを介して内側左側板５ｌ、内側右側板５ｒがそれぞれ接続され、後側板３の左、右辺には折り線ｂを介して外側左側板６ｌ、外側右側板６ｒがそれぞれ接続される。外側左側板６ｌの前、後辺には、内側左底板半体７ｌ、左内蓋半体８ｌがそれぞれ接続され、また外側右側板６ｒの前、後辺には、内側右底板半体７ｒ、右内蓋半体８ｒがそれぞれ接続される。そして、内側左底板半体７ｌと内側右底板半体７ｒとで内側底板７が形成され、また左内蓋半体８ｌと右内蓋半体８ｒとで内蓋８が形成される。
【００２０】
前記ダンボール板Ｐより、ダンボール箱Ｂを組み立てるには、図４（Ａ），（Ｂ）に示すように、外側底板１に対して後側板３を外蓋４と共に折り線ｂに沿って直角に折り曲げ、この後、側板３の左右の外側左右側板６ｌ，６ｒを折り線ｂに沿って内側に折り曲げると共に内側左、右底板半体７ｌ，７ｒを折り線に沿って内側に折り曲げる。これにより左、右底板半体７ｌ，７ｒは外側底板１上に重ね合わされ、それらの外縁に設けたアリａとアリ溝ｂとを係合させる。また、外側底板１に対して前側板２を折り線に沿って直角に折り曲げると共に内側左右側板５ｌ，５ｒを折り線ｂに沿って内側に直角に折り曲げて、それらを外側左右側板６ｌ，６ｒの内側に重ね合わせる。このとき、内側および外側の左右側板５ｌ，５ｒ，６ｌ，６ｒにそれぞれ設けた把手孔ａ同士は互いに一致する。
【００２１】
図２に示すように、左、右内蓋半体８ｌ，８ｒを折り線ｂに沿って内側に折り曲げて、それらの外縁に設けたアリｄとアリ溝ｇを係合し、外蓋４を折り曲げて左、右内蓋半体８ｌ，８ｒよりなる内蓋８上に重ね合わせて、図１に示すように、ダンボール箱Ｂの開口上面が閉じられ、外蓋４の外縁に設けた差込舌片ｔを、前側板２の外縁に設けた差込孔ｈに差し込む。これにより、図１に示すようにダンボール箱Ｂが組み立てられる。
【００２２】
本発明に係る簡易トイレは、前記ダンボール箱Ｂ、補強枠Ｆおよび可撓性のシートＳより構成される。
【００２３】
簡易トイレのトイレ本体は、前記ダンボール箱Ｂにより作られる。ダンボール箱Ｂの外蓋４および内蓋８は、使用者が着座する便座部となるもので、図７に示すように、外蓋４には、撮み片１１を設けた開閉蓋１０により開閉される外側貫通孔１２が開口され、また、内蓋８には内側貫通孔１３が開口され、外側貫通孔１２と内側貫通孔１３とで、便座孔が形成される。
【００２４】
図１，２に示すように、外蓋４には、外側貫通孔１２の輪郭に沿ってＵ字状のミシン目ｌ1 が入れられている。そして、そのミシン目ｌ1 を裂くことにより、外蓋４に、外側貫通孔１２が開口されると共にそのミシン目ｌ1 の端部間をヒンジ線ｌｈとする、先端に撮み片１１を有する開閉蓋１０を形成することができる。また、前記内蓋８を形成する左右内蓋半体８ｌ，８ｒには、それらの外縁に達するＵ字状およびコ状のミシン目ｌ2 ，ｌ3 がそれぞれ入れられており、これらのミシン目ｌ2 ，ｌ3 を裂くことにより、左右内蓋半体８ｌ，８ｒよりなる内蓋８に内側貫通孔１３が開口される。この内側貫通孔１３は、前記外側貫通孔１２よりも若干小さく形成されており（図７参照）、内蓋８上に外蓋４が重ね合わされると、内蓋８の周縁部に開閉蓋１０を止めるためのストッパ部８ｓが形成される。
【００２５】
ダンボール箱Ｂ、すなわちトイレ本体内に着脱可能に収容される補強枠Ｆは、図５に示すように、各一対の、ダンボール板よりなる方形状の縦、横補強板２０，２１を井桁状に組み付けて構成される。縦、横補強板２０，２１には、幅方向に間隔をあけて互いに平行な一対の差込スリット２０ｓ，２１ｓが、その一端縁から中間位置までそれぞれ入れられており、差込スリット２０ｓを上向きにして互いに平行に配置した縦補強板２０と、差込スリット２１ｓを下向きにして互いに平行に配置した横補強板２１とを、それらの差込スリット２０ｓ，２１ｓを相互に差し込むことにより井桁状に組み付けられる。
【００２６】
前記可撓性シートＳは、市販の不透明なビニールシートよりなる。
【００２７】
なお、この可撓性シートＳは、予め袋状に形成した市販の収容袋であってもよい。
【００２８】
つぎに、ダンボール箱Ｂ、補強枠Ｆおよび可撓性シートＳよりなる簡易トイレを組み付ける順序について説明する。
【００２９】
(1) 先ず、図６に示すように、前述したように組み付けられたダンボール箱Ｂの、外蓋４および左右内蓋半体８ｌ，８ｒよりなる内蓋８を開き、外蓋４のミシン目ｌ1 を裂いて、撮み片１１付きの開閉蓋１０を形成し、その撮み片１１を摘んで引き上げることで、開閉蓋１０をヒンジ線ｌｈに沿って開放し、外側貫通孔１２を開口する。ついで、左右内蓋半体８ｌ，８ｒのミシン目ｌ2 ，ｌ3 を裂いて、左右内蓋半体８ｌ，８ｒにそれぞれＵ字状およびコ字状の開口１３1 ，１３2 を形成する。
【００３０】
(2) 次に、既に組み付けた補強枠Ｆを、ダンボール箱（トイレ本体）Ｂ内に装入し、左右内蓋半体８ｌ，８ｒをそれぞれ閉じ、内側貫通孔１３を開口した内蓋８により、ダンボール箱Ｂの開口上面を閉じる。次いで、外蓋４を、内蓋８上に重ね合わせる。これにより、図７に示すように、簡易トイレの弁座部が形成され、互いに重なり合う内側貫通孔１３と外側貫通孔１２とで、簡易トイレの便座孔が形成される。開閉蓋１０は、内蓋８の周縁部のストッパ部８ｓ上に止められて外蓋４と面一な閉じ位置に保持される。
【００３１】
(3) 図１０に示すように、開閉蓋１０を開放した後、ビニールシートよりなる可撓性シートＳを、便座部上に載せ、該シートＳの中央部を、便座孔を通してトイレ本体内に押し込めば、そのシートＳの中央部は、袋状になってダンボール箱、すなわちトイレ本体内に収容され、排泄物の収容袋とすることができる。また、このシートＳの外周部は、トイレ本体の便座部を覆うようにする。
【００３２】
なお、可撓性シートＳは、予め袋状に形成されたものを用いてもよい。
【００３３】
この簡易トイレを使用するときは、使用者は、ダンボール箱Ｂ上に座乗するが、トイレ本体を構成するダンボール箱Ｂは、補強枠Ｆにより補強されているため、潰れたり、変形したりすることがない。
【００３４】
図１１に示すように、簡易トイレの使用後は、収容袋内に凝固剤（高分子ポリマー）、脱臭剤などを入れたのち、トイレ本体Ｂより取り出す。
【００３５】
しかして、この簡易トイレは、在来のものから作ることができ、特に、トイレ本体を、書籍などの収容に用いられる在来のダンボール箱Ｂを利用して作ることができるので、極めて廉価に、迅速に提供することができ、しかもコンパクトに折り畳むことができて搬送に便利であり、緊急を要する地震、火災などで被災した被災地用の簡易トイレとして、極めて有効である。
【００３６】
また、この簡易トイレは、補強枠Ｆにより補強されているので、トイレ本体が、ダンボール箱で作られているにも拘らず、充分な強度があって、長期間使用に耐え得る耐久性があり、また体重の重い使用者でも安心して使用することができる。
【００３７】
また、使用後は、便座孔を、開閉蓋１０により閉じることができ、外観上の体裁がよく、また悪臭の発散を防止することができる。また、トイレの使用中は、起立している開閉蓋１０は、恥部隠しとして利用することもできる。
【００３８】
また、開閉蓋１０には、撮み片１１が設けられるので、その開閉操作が容易である。
【００３９】
さらに、開閉蓋１０を外蓋４と同一面の閉じ位置に止めることができ、開閉蓋１０がダンボール箱Ｂ内に内没することがなく、外観上の体裁を良くし、また、開閉蓋１０を汚損することがない。
【００４０】
補強枠Ｆは、ダンボール板２０，２１を井桁状に組んで形成されるので、廉価に提供することをができ、また、ダンボール板２０，２１に解体して、搬送、格納が容易である。
【００４１】
以上、本発明の実施例について説明したが、本発明はその実施例に限定されることなく、本発明の範囲内で種々の実施例が可能である。
【００４２】
たとえば、トイレ本体を形成するダンボール箱Ｂは、前記実施例のものに変えて、市販されている、他の在来のものを利用してもよい。
【符号の説明】
【００４３】
４・・・・・・・外蓋
８・・・・・・・内蓋
８ｓ・・・・・・ストッパ部
１０・・・・・・・開閉蓋
１１・・・・・・・撮み片
１２・・・・・・・外側貫通孔
１３・・・・・・・内側貫通孔
２０，２１・・・・ダンボール板
Ｂ・・・・・・・ダンボール箱
Ｆ・・・・・・・補強枠
Ｓ・・・・・・・可撓性シート
ｌ1 ，ｌ2 ，ｌ3 ・・ミシン目
ｌｈ・・・・・・・・ヒンジ線
【図１】
2012232053.tif 000003
【図２】
2012232053.tif 000004
【図３】
2012232053.tif 000005
【図４】
2012232053.tif 000006
【図５】
2012232053.tif 000007
【図６】
2012232053.tif 000008
【図７】
2012232053.tif 000009
【図８】
2012232053.tif 000010
【図９】
2012232053.tif 000011
【図１０】
2012232053.tif 000012
【図１１】
2012232053.tif 000013